(57)【要約】      （修正有）【課題】所望の物体の温度を監視して火災を防止するとともに危険な状況の警報を発するのに用いられる温度監視システムの一部として接続される温度ガードセンサユニットを提供する。【解決手段】センサユニット１は、１つ又は複数の遠隔の温度センサ、及び、観察エリアを画定する光学モジュール３を含み、観察エリアを通して、遠隔の温度センサが所望の物体の温度をモニタする。光学モジュール３は、センサユニット１に入れ替え可能に取着され、互いに異なる観察エリアが与えられる光学モジュールが、同じセンサユニット１に任意選択的に取着されるように構成される。この場合、同じセンサユニットは、その設置場所から監視される物体の観察に好適な光学モジュール３が設けられる場合に、監視される異なる設置場所及び異なる物体に好適である。【選択図】図２
2017062773.tif 000002
【特許請求の範囲】
【請求項１】
所望の物体の温度を監視して火災を防止するとともに危険な状況の警報を発するのに用いられる温度監視システムの一部として接続される温度ガードセンサユニットであって、該センサユニット（１）は、１つ又は複数の遠隔の温度センサ（２）、及び、観察エリアを画定する光学モジュール（３）を含み、観察エリアを通して、前記遠隔の温度センサが前記所望の物体の温度をモニタし、
前記光学モジュール（３）が、該センサユニット（１）に入れ替え可能に取着されること、及び、互いに異なる観察エリアが与えられる光学モジュールが、同じ該センサユニット（１）に任意選択的に取着されるように構成され、該同じセンサユニットは、その設置場所から監視される前記物体のモニタに好適な光学モジュール（３）が設けられる場合に、監視される異なる設置場所及び異なる物体に好適であることを特徴とする、温度ガードセンサユニット。
【請求項２】
前記同じセンサユニットに、光学モジュールが任意選択的に取着され、該光学モジュールの観察エリアは、以下：筒状、円筒形又はフレネルレンズをベースとする、のうちの１つであることを特徴とする、請求項１に記載のセンサユニット。
【請求項３】
前記光学モジュールの前記観察エリアは楕円形であることを特徴とする、請求項１に記載のセンサユニット。
【請求項４】
前記センサユニット（１）は、各配置場所において、その観察エリア（９）に好適な光学モジュール（３）を用いて天井、壁（１１）又はストーブフードファン（１２）に任意選択的に取り付けられることを特徴とする、請求項１〜３のいずれか一項に記載のセンサユニット。
【請求項５】
ストーブフードファン（１２）又は前記天井若しくは壁（１１）に任意選択的に取り付けられる前記センサユニット（１）には、関節式（６）締結具（５）が設けられ、所望の監視角度を達成することを特徴とする、請求項１〜４のいずれか一項に記載のセンサユニット。
【請求項６】
ストーブフードファン（１２）又は前記天井若しくは壁（１１）に任意選択的に取り付けられる前記センサユニットの前記１つ又は複数の光学モジュール（３）の取着のために、ジョイント（７）が設けられる締結具が用いられ、所望の監視角度を達成することを特徴とする、請求項１〜５のいずれか一項に記載のセンサユニット。
【請求項７】
前記センサユニット（１）の前記光学モジュール（３）は、入れ替え可能な保護ケーシング（３ｂ）の一部であることを特徴とする、請求項１〜６のいずれか一項に記載のセンサユニット。
【請求項８】
前記遠隔の温度センサ（２）として遠隔のＩＲ温度センサが用いられることを特徴とする、請求項１〜７のいずれか一項に記載のセンサユニット。
【発明の詳細な説明】
【技術分野】
【０００１】
本発明は、所望の物体の温度を監視して火災を防止するとともに危険な状況の警報を発するのに用いられる温度監視システムの一部として接続される温度ガードセンサユニットであって、センサユニットは、１つ又は複数の遠隔の温度センサ、及び、観察エリアを画定する光学モジュールを含み、観察エリアを通して、遠隔の温度センサは所望の物体の温度をモニタする、温度ガードセンサユニットに関する。
【背景技術】
【０００２】
既知の遠隔温度ガードは、とりわけ、固定されたＩＲ検出器、及び、ストーブフードファン又は天井に設置される別個のセンサユニットを有するストーブガードセンサの解決策である。現行の解決策の不都合点は、幾つかの異なるタイプのセンサが必要であり、それらの機能が互いに異なることであり、ストーブフードファン及び天井に設置される温度ガードにおいて別個の安全装置エンティティが必要である。既知の技術は、天井に設置される作動センサも表し、その警報は、温度が上昇する速さに基づく。それらの不都合点は、それらが空気の加熱をモニタし、この場合、警報を発するのが遅すぎることである。
【発明の概要】
【発明が解決しようとする課題】
【０００３】
本発明の目的は、センサユニットを提供することであり、センサユニットによって、単一のセンサを用いて幾つかの異なる設置場所を実現することが可能であり、このセンサユニットを用いて、所望であれば、例えば台所において大きいエリアをモニタすることもでき、危険な家庭用電気製品を単一のセンサによって監視することができる。
【課題を解決するための手段】
【０００４】
本発明の目的は、添付の請求項１に提示されている特徴に基づいて達成される。従属項は、本発明の好ましい実施形態を提示する。
【０００５】
したがって、本発明による解決策は、入れ替え可能な光学モジュール、及び、互いに異なる観察エリアが与えられる光学モジュールが、同じセンサユニットに任意選択的に取着されるように構成されることに基づく。この場合、同じセンサユニットに、その設置場所から監視される物体のモニタに好適な光学モジュールが設けられる場合に、センサユニットは、そのセンサとともに、監視される異なる設置場所及び異なる物体に好適である。異なる観察エリア又はレンズが設けられる十分な量の光学モジュールを予め製造することが可能であり、それらの光学モジュールから、任意の所与の目的で最も好適であるモジュールを、センサユニットに取着するように選択することができる。
【０００６】
遠隔のＩＲ温度センサが用いられる場合、差動センサを用いる場合よりも迅速に警報を発することができ、監視されるエリアは、パッケージに含まれる異なるタイプの光学モジュールから本発明による解決策に起因して選択することができる。遠隔温度ガードのセンサユニットは幾つかの指向性（directable）の光学モジュールも有することができ、幾つかの物体を同じセンサユニットによって監視することができる。
【０００７】
センサユニットの構造は、ストーブフードファン、壁又は天井に任意選択的に設置されるのに好適であるように設計することができ、センサユニットの遠隔の温度センサの光学モジュールを入れ替えることによって、センサユニットを、異なる場所及び監視される物体から異なる距離に設置することができる。
【０００８】
以下では、本発明の実施形態例を、添付の図面を参照することによって説明する。
【図面の簡単な説明】
【０００９】
【図１】本発明によるセンサユニットの斜視図である。
【図２】センサユニットの光学モジュールを容易に入れ替えることができる方法を示す図である。
【図３】同じセンサユニットを、ストーブ１０等の、監視される物体から異なる距離に及び監視される物体に対して異なる角度で任意選択的に設置することができる方法を示す図である。
【図４】センサユニットの入れ替え可能な保護ケーシング３ｂに回動可能に適合されるときの光学モジュール３の１つの実施形態例の断面図である。
【発明を実施するための形態】
【００１０】
センサユニット１は、所望の物体の温度を監視して火災を防止するとともに危険な状況の警報を発するのに用いられる温度監視システムの一部として接続される。センサユニット１は、１つ又は複数の遠隔の温度センサ２、並びに、光学的な観察エリアを画定する筒状又は円筒形の開口部（図２及び図４）を有する光学モジュール３を含み、光学的な観察エリアを通して、遠隔の温度センサ２は所望の物体の温度をモニタする。より広い観察エリアが所望である場合、センサユニットは物体の近傍に設置されるため、フレネルレンズを用いることができる。通常の光学レンズも用いることができる。物体エリアの正確な画定は、十分な観察感度を依然として達成しながらも、過った警報を回避するために必要である。
【００１１】
図１及び図２の実施形態では、検出器ユニット１は光学モジュール３の受け入れスペース３ａを有し、光学モジュール３は受け入れスペース３ａに入れ替え可能に取着される。図２は、光学モジュールを、ねじ回しの先端部によって受け入れスペース３ａから持ち上げることによって容易に入れ替えることができる方法を示している。光学モジュールは、受け入れスペース３ａに別の光学モジュール３を圧入することによって取り替えることができ、その観察エリア画定開口部４は、設置場所及び監視される物体に好適である。開口部４は、筒状若しくは円筒形であるものとすることができるか、又は、フレネルレンズをベースとすることができる。レンズ又は開口部４の形状、及び、観察エリアはそれぞれ楕円であるものとすることもでき、天井からより広いエリアを監視することができる。
【００１２】
図３は、開口部４によって画定される観察エリア９の中心軸９ａがストーブ１０に対して異なる角度にあるように、ストーブ１０の温度ガードのセンサユニット１を、ストーブから異なる距離に異なる角度で設置することができる方法を示している。壁１１に設置されると、距離及び角度は、ストーブフードファン１２に設置する場合よりも大きい。観察エリア９がストーブ１０のエリアを覆うように光学モジュール３が設置場所に合うよう入れ替えられる場合に、同じセンサユニット１を双方の設置場所において用いることができる。
【００１３】
図１の実施形態例では、センサユニット１には締結具５が設けられており、締結具５は、スイベルジョイント６によってセンサユニット１に係合し、所望の監視角度を達成する。締結具５は、ストーブフードファン１２又は天井若しくは壁１１に任意選択的に取着することができる。
【００１４】
図４に示されているように、センサユニットの光学モジュール３は、入れ替え可能な保護ケーシング３ｂの一部であるものとすることができる。この場合、光学モジュール３を取着するのに関節式７締結具を用い、所望の監視角度を達成することができる。示されている実施形態例では、ジョイント７はボールジョイントである。同じセンサユニット１は１つ又は複数の光学モジュール３を有することができる。ピン１３によって遠隔の温度センサ２が接続される回路基板が、参照符号１４で示されている。
【００１５】
同じセンサユニットを、ストーブフードファン１２又は天井若しくは壁１１に任意選択的に取り付けることができる。同じセンサユニット及び入れ替え可能な光学モジュールを用いることによって、光学モジュール３を入れ替えるだけで、異なる距離及び異なる場所において設置を容易に行うことができる。
【図１】
2017062773.tif 000003
【図２】
2017062773.tif 000004
【図３】
2017062773.tif 000005
【図４】
2017062773.tif 000006